【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
画像を撮影する撮影手段と、
上記撮影された画像を記録する記録手段と、
上記画像が上記記録手段に記録されるときに、上記画像が撮影された際の被写体の条件に対応した第１のキーワードを、上記記録手段に記録された画像に関連付けて記録するキーワード記録手段と、
上記記録された画像を表示する表示手段と、
任意の第２のキーワードを入力するキーワード入力手段と、
上記キーワード記録手段に記録された第１のキーワードと上記キーワード入力手段によって入力された第２のキーワードとに基づいて上記記録手段から画像を検索し、該検索される画像の数を上記第１のキーワード及び上記第２のキーワードとともに上記表示手段に表示する制御手段と、
を有することを特徴とするカメラ。
【請求項２】
上記制御手段は、上記キーワード記録手段に記録された第１のキーワードを１つずつ選択し、該選択した第１のキーワードと上記第２のキーワードとに基づいて上記記録手段から画像を検索することを特徴とする請求項１に記載のカメラ。
【請求項３】
上記制御手段は、上記第１のキーワードと上記第２のキーワードとのアンド検索によって上記検索を行うことを特徴とする請求項１又は２に記載のカメラ。
【請求項４】
上記キーワード入力手段は、上記カメラの操作を行うためのスイッチを兼用していることを特徴とする請求項１乃至３の何れか１項に記載のカメラ。
【請求項５】
画像を撮影する撮影手段と、
上記撮影された画像を記録する記録手段と、
上記画像が撮影された際の被写体の条件に対応した第１のキーワードを、上記記録手段に記録された画像に関連付けて記録するキーワード記録手段と、
上記画像が撮影された画像の特徴を抽出し、該抽出された特徴に対応した第２のキーワードを判定するキーワード判定手段と、
上記記録された画像を表示する表示手段と、
上記キーワード記録手段に記録された第１のキーワードと上記キーワード判定手段によって判定された第２のキーワードとに基づいて上記記録手段から画像を検索し、該検索される画像の数を上記第１のキーワード及び上記第２のキーワードとともに上記表示手段に表示する制御手段と、
を有することを特徴とするカメラ。
【請求項６】
上記制御手段は、上記キーワード記録手段に記録された第１のキーワードを１つずつ選択し、該選択した第１のキーワードと上記第２のキーワードとに基づいて上記記録手段から画像を検索することを特徴とする請求項５に記載のカメラ。
【請求項７】
上記制御手段は、上記第１のキーワードと上記第２のキーワードとのアンド検索によって上記検索を行うことを特徴とする請求項５又は６に記載のカメラ。
【請求項８】
画像が撮影された際の被写体の条件に対応した第１のキーワードと、任意の第２のキーワードとがカメラからネットワークを介して通信され、該通信された第１のキーワードと第２のキーワードとに基づいて記録部から画像を検索し、該検索される画像の数を上記第１のキーワード及び上記第２のキーワードとともに表示部に表示する制御手段を有することを特徴とする検索装置。
【請求項９】
上記制御手段は、上記キーワード記録手段に記録された第１のキーワードを１つずつ選択し、該選択した第１のキーワードと上記第２のキーワードとに基づいて上記記録手段から画像を検索することを特徴とする請求項８に記載の検索装置。
【請求項１０】
上記制御手段は、上記第１のキーワードと上記第２のキーワードとのアンド検索によって上記検索を行うことを特徴とする請求項８又は９に記載の検索装置。
【請求項１１】
画像を撮影し、
上記撮影された画像を記録部に記録し、
上記画像が上記記録部に記録されるときに、上記画像が撮影された際の被写体の条件に対応した第１のキーワードを、上記記録部に記録された画像に関連付けてキーワード記録部に記録し、
上記キーワード記録部に記録された第１のキーワードとキーワード入力部によって入力された第２のキーワードとに基づいて上記記録部から画像を検索し、該検索される画像の数を上記第１のキーワード及び上記第２のキーワードとともに表示部に表示する、
ことを特徴とする画像表示方法。
【請求項１２】
画像を撮影し、
上記撮影された画像を記録部に記録し、
上記画像が撮影された際の被写体の条件に対応した第１のキーワードを、上記記録部に記録された画像に関連付けてキーワード記録部に記録し、
上記画像が撮影された画像の特徴を抽出し、該抽出された特徴に対応した第２のキーワードを判定し、
上記キーワード記録部に記録された第１のキーワードと上記判定された第２のキーワードとに基づいて上記記録部から画像を検索し、該検索される画像の数を上記第１のキーワード及び上記第２のキーワードとともに表示部に表示する、
ことを特徴とする画像表示方法。
【手続補正２】
【補正対象書類名】明細書
【補正対象項目名】発明の名称
【補正方法】変更
【補正の内容】
【発明の名称】カメラ、検索装置、及び画像表示方法
【手続補正３】
【補正対象書類名】明細書
【補正対象項目名】０００１
【補正方法】変更
【補正の内容】
【０００１】
本発明は、数多くの画像の中から、見つけやすい画像を撮影するための技術の改良に関し、検索を容易にした画像を撮影するためのカメラ、このような検索を行う検索装置、及び画像表示方法に関するものである。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明の目的は、どのような画像が多く、どのような画像が少ないかを表示可能として、画像に更に変化をつけて、魅力アップして、コンテンツの内容を豊かにすることが可能なカメラ、検索装置、画像表示方法を提供することである。
【手続補正６】
【補正対象書類名】明細書
【補正対象項目名】０００８
【補正方法】変更
【補正の内容】
【０００８】
すなわち請求項１に記載の発明は、画像を撮影する撮影手段と、上記撮影された画像を記録する記録手段と、上記画像が上記記録手段に記録されるときに、上記画像が撮影された際の被写体の条件に対応した第１のキーワードを、上記記録手段に記録された画像に関連付けて記録するキーワード記録手段と、上記記録された画像を表示する表示手段と、任意の第２のキーワードを入力するキーワード入力手段と、上記キーワード記録手段に記録された第１のキーワードと上記キーワード入力手段によって入力された第２のキーワードとに基づいて上記記録手段から画像を検索し、該検索される画像の数を上記第１のキーワード及び上記第２のキーワードとともに上記表示手段に表示する制御手段と、を有することを特徴とする。
【手続補正７】
【補正対象書類名】明細書
【補正対象項目名】０００９
【補正方法】変更
【補正の内容】
【０００９】
請求項２に記載の発明は、請求項１に記載の発明に於いて、上記制御手段は、上記キーワード記録手段に記録された第１のキーワードを１つずつ選択し、該選択した第１のキーワードと上記第２のキーワードとに基づいて上記記録手段から画像を検索することを特徴とする。
【手続補正８】
【補正対象書類名】明細書
【補正対象項目名】００１０
【補正方法】変更
【補正の内容】
【００１０】
請求項３に記載の発明は、請求項１又は２に記載の発明に於いて、上記制御手段は、上記第１のキーワードと上記第２のキーワードとのアンド検索によって上記検索を行うことを特徴とする。
【手続補正９】
【補正対象書類名】明細書
【補正対象項目名】００１１
【補正方法】変更
【補正の内容】
【００１１】
請求項４に記載の発明は、請求項１乃至３の何れか１項に記載の発明に於いて、上記キーワード入力手段は、上記カメラの操作を行うためのスイッチを兼用していることを特徴とする。
【手続補正１０】
【補正対象書類名】明細書
【補正対象項目名】００１２
【補正方法】変更
【補正の内容】
【００１２】
請求項５に記載の発明は、画像を撮影する撮影手段と、上記撮影された画像を記録する記録手段と、上記画像が撮影された際の被写体の条件に対応した第１のキーワードを、上記記録手段に記録された画像に関連付けて記録するキーワード記録手段と、上記画像が撮影された画像の特徴を抽出し、該抽出された特徴に対応した第２のキーワードを判定するキーワード判定手段と、上記記録された画像を表示する表示手段と、上記キーワード記録手段に記録された第１のキーワードと上記キーワード判定手段によって判定された第２のキーワードとに基づいて上記記録手段から画像を検索し、該検索される画像の数を上記第１のキーワード及び上記第２のキーワードとともに上記表示手段に表示する制御手段と、を有することを特徴とする。
【手続補正１１】
【補正対象書類名】明細書
【補正対象項目名】００１３
【補正方法】変更
【補正の内容】
【００１３】
請求項６に記載の発明は、請求項５に記載の発明に於いて、上記制御手段は、上記キーワード記録手段に記録された第１のキーワードを１つずつ選択し、該選択した第１のキーワードと上記第２のキーワードとに基づいて上記記録手段から画像を検索することを特徴とする。
【手続補正１２】
【補正対象書類名】明細書
【補正対象項目名】００１４
【補正方法】変更
【補正の内容】
【００１４】
請求項７に記載の発明は、請求項５又は６に記載の発明に於いて、上記制御手段は、上記第１のキーワードと上記第２のキーワードとのアンド検索によって上記検索を行うことを特徴とする。
【手続補正１３】
【補正対象書類名】明細書
【補正対象項目名】００１５
【補正方法】変更
【補正の内容】
【００１５】
請求項８に記載の発明は、画像が撮影された際の被写体の条件に対応した第１のキーワードと、任意の第２のキーワードとがカメラからネットワークを介して通信され、該通信された第１のキーワードと第２のキーワードとに基づいて記録部から画像を検索し、該検索される画像の数を上記第１のキーワード及び上記第２のキーワードとともに表示部に表示する制御手段を有することを特徴とする。
【手続補正１４】
【補正対象書類名】明細書
【補正対象項目名】００１６
【補正方法】変更
【補正の内容】
【００１６】
請求項９に記載の発明は、請求項８に記載の発明に於いて、上記制御手段は、上記キーワード記録手段に記録された第１のキーワードを１つずつ選択し、該選択した第１のキーワードと上記第２のキーワードとに基づいて上記記録手段から画像を検索することを特徴とする。
【手続補正１５】
【補正対象書類名】明細書
【補正対象項目名】００１７
【補正方法】変更
【補正の内容】
【００１７】
請求項１０に記載の発明は、請求項８又は９に記載の発明に於いて、上記制御手段は、上記第１のキーワードと上記第２のキーワードとのアンド検索によって上記検索を行うことを特徴とする。
【手続補正１６】
【補正対象書類名】明細書
【補正対象項目名】００１８
【補正方法】変更
【補正の内容】
【００１８】
請求項１１に記載の発明は、画像を撮影し、上記撮影された画像を記録部に記録し、上記画像が上記記録部に記録されるときに、上記画像が撮影された際の被写体の条件に対応した第１のキーワードを、上記記録部に記録された画像に関連付けてキーワード記録部に記録し、上記キーワード記録部に記録された第１のキーワードとキーワード入力部によって入力された第２のキーワードとに基づいて上記記録部から画像を検索し、該検索される画像の数を上記第１のキーワード及び上記第２のキーワードとともに表示部に表示する、ことを特徴とする。
【手続補正１７】
【補正対象書類名】明細書
【補正対象項目名】００１９
【補正方法】変更
【補正の内容】
【００１９】
請求項１２に記載の発明は、画像を撮影し、上記撮影された画像を記録部に記録し、上記画像が撮影された際の被写体の条件に対応した第１のキーワードを、上記記録部に記録された画像に関連付けてキーワード記録部に記録し、上記画像が撮影された画像の特徴を抽出し、該抽出された特徴に対応した第２のキーワードを判定し、上記キーワード記録部に記録された第１のキーワードと上記判定された第２のキーワードとに基づいて上記記録部から画像を検索し、該検索される画像の数を上記第１のキーワード及び上記第２のキーワードとともに表示部に表示する、ことを特徴とする。
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】変更
【補正の内容】
【００２７】
本発明によれば、それまで蓄積された画像の状況を考慮し、目立ちやすく、検索しやすい画像撮影を可能とし、その結果を利用して、より変化のある写真撮影を楽しむことができ、多くの人に飽きの来ない画像を見せることができ、更に検索も容易にすることができる。これによって、多くの人が画像検索しやすくなり、心に留まりやすい画像を表示可能にして、特徴ある画像が検索不能になって、紛失してしまわないようにしている。また、カメラに限らず、どのような画像がポピュラーであるか、稀少なものであるかを、判定することができる。